(57)【特許請求の範囲】
【請求項１】
左右一対の円筒状の縦柱と、それらの中央部近傍を連結する横桟と、縦柱と横桟を結ぶ補剛材で構成される建枠であって、一方又は両方の縦柱に沿わせて断面が円弧状の補強材が縦柱と一体化されて設けられていることを特徴とする建枠。
【請求項２】
断面が円弧状の補強材が横桟から上の縦柱部分に沿わせて縦柱と一体化されて設けられていることを特徴とする、請求項１に記載された建枠。
【請求項３】
縦柱と横桟を結ぶ補剛材が横桟から下の部分に設けられていることを特徴とする、請求項１又は２に記載された建枠。
【請求項４】
断面が円弧状の補強材の弦の長さは、円筒状の縦柱の外側直径以下であることを特徴とする、請求項１から３までのいずれかに記載された建枠。
【請求項５】
断面が円弧状の補強材の内側曲げ半径は、円筒状の縦柱の外側半径以下であることを特徴とする、請求項１から４までのいずれかに記載された建枠。
【請求項６】
断面が円弧状の補強材が、建枠を構成する縦柱の内側に設けられていることを特徴とする、請求項１から５までのいずれかに記載された建枠。
【請求項７】
断面が円弧状の補強材と横桟を結ぶ補強リブが設けられていることを特徴とする、請求項１から６までのいずれかに記載された建枠。
【請求項８】
請求項１から７までのいずれかに記載された建枠からなる枠組足場であって、断面が円弧状の補強材が縦柱に沿わせて縦柱と一体化されて設けられている部分において、建枠の縦柱を壁つなぎによって隣接する構造物に固定することができることを特徴とする枠組足場。
【発明の詳細な説明】
【技術分野】
【０００１】
本発明は、建築現場等で使用する建枠及び枠組足場に関する。
【背景技術】
【０００２】
建築現場等では、横桟と縦柱から構成される建枠を複数個組み立ててなる枠組足場が使用されている。
【０００３】
建枠の複数個を所定の間隔で建物等の構造物とは直角に立設し、建枠に筋違（すじかい）や手摺枠を取り付け固定して複数個の建枠を自立させた後、さらに建枠の横桟の上に足場板（布板）を架け渡すことで、１単位の足場を形成する。次に、既に立設した建枠の上に、別途用意された建枠を載置し、別途用意した筋違や手摺枠を隣接する建枠の間に取り付け固定した後、新たに形成された自立した建枠の横桟の上に別途用意した足場板を架け渡すことによって一つ上の段の足場を形成する。建枠の上に別の建枠を載置するには、通常、建枠を構成する縦柱の上に、別の建枠の縦柱を継ぎ足すようにして載置する。これを順次繰り返すことによって、全体の枠組み足場を形成する。
【０００４】
逆の作業で、枠組足場を順次上から解体する際にも筋違や手摺枠を最上段の建枠から取り外してから、最上段の建枠を取り外すことになる。そして、同様に、一つ下の足場についても、順次、１単位の足場ごとに、取り付けられた筋違や手摺枠を建枠から取り外していくことになる。
【０００５】
建枠の例としては、縦柱の中間部近傍に横桟を有するＨ型形状の建枠（以下、単に「Ｈ枠」という。）が知られている。
【０００６】
特許文献１には、このＨ枠の一例が示されている。図７は、従来例に係るＨ枠の一例を示す正面図である。Ｈ枠１は、左右２本の縦柱２と、２本の縦柱を中央部近傍で連結する横桟３とからＨ形の枠が形成されている。そして、Ｈ型の枠の下部には、縦柱と横桟を結ぶ補剛材４が設けられ、Ｈ型の枠が座屈変形することを防止することによって、Ｈ型形状が保持される。
【０００７】
なお、後述するように、複数のＨ枠を建物と直角に立設し、隣接するＨ枠の間に筋違や手摺枠を取り付けて固定することによって枠組足場が形成されるが、Ｈ枠の縦柱２には筋違や手摺枠を固定するためのロック金具６、７が取り付けられている。また、Ｈ枠を立設した後、その上に別のＨ枠を立設することによって、上段の足場を形成するが、このためにＨ枠の縦柱２の最上部には固定ピン（図示せず）を備えたジョイント部材５が設けられている。
【０００８】
このＨ枠を建物と直角に立設して枠組足場を形成する一例を図８に示す。(a)が正面図、(b)が右側面図である。地面の上に敷板２３を敷いた後、ジャッキベース２４を固定し、その上に３個のＨ枠を建物２２とは直角に等間隔に立設して１段目のＨ枠１−１を形成する。隣接するＨ枠の間にＨ枠の半分の高さの筋違兼手摺枠１３をＨ枠１―１の建物側の縦柱の下部に設けられたロック金具６ａに取り付けて固定することによって、１段目のＨ枠１―１を自立させる。次に、隣接するＨ枠の間にＨ枠の半分の高さの手摺枠１０をＨ枠１―１の建物とは反対側の縦柱の下部に設けられたロック金具６ｂに取り付けて固定する。さらに、隣接するＨ枠の間に、縦柱の下部の位置から先行して、建物側の縦柱の上部用の筋違兼手摺枠１３をロック金具７ａに取り付けて固定し、そして、同じく、縦柱の下部の位置から先行して、建物とは反対側の縦柱の上部用の手摺枠１０をロック金具７ｂに取り付けて固定する。その後、１段目のＨ枠１―１の隣接する横桟の間に１段目の布板１１―１を掴み金具（図示せず）を介して架け渡して、１段目の足場を形成する。
【０００９】
次に、３個のＨ枠を用意し、既に立設した１段目のＨ枠１−１の縦柱上部のジョイント部材５の上にＨ枠の縦柱の下部を載置立設し、固定ピン（図示せず）で固定することによって、２段目のＨ枠１−２を形成する。その後、１段目と同様にして、Ｈ枠の半分の高さの筋違兼手摺枠１３をＨ枠１―２の建物側の縦柱の下部に設けられたロック金具６ａに取り付けて固定し、次いで、Ｈ枠の半分の高さの手摺枠１０をＨ枠１―２の建物とは反対側の縦柱の下部に設けられたロック金具６ｂに取り付けて固定する。さらに、隣接するＨ枠の間に、縦柱の下部の位置から先行して、建物側の縦柱の上部用の筋違兼手摺枠１３をロック金具７ａに取り付けて固定し、そして、同じく、縦柱の下部の位置から先行して、建物とは反対側の縦柱の上部用の手摺枠１０をロック金具７ｂに取り付けて固定する。その後、２段目のＨ枠１―２の横桟に２段目の布板１１―２を掴み金具（図示せず）を介して架け渡して、２段目の足場を形成する。
【００１０】
３段目の足場も、２段目の足場と同じ手順で形成される。すなわち、３段目のＨ枠１−３を形成した後、Ｈ枠の半分の高さの筋違兼手摺枠１３をＨ枠１―３の縦柱の下部に設けられたロック金具６ａに取り付けて固定し、次いで、Ｈ枠の半分の高さの手摺枠１０をＨ枠１―３の縦柱の下部に設けられたロック金具６ｂに取り付けて固定する。さらに、隣接するＨ枠の間に、縦柱の下部の位置から先行して、建物側の縦柱の上部用の筋違兼手摺枠１３をロック金具７ａに取り付けて固定し、そして、同じく、縦柱の下部の位置から先行して、建物とは反対側の縦柱の上部用の手摺枠手摺枠１０をロック金具７ｂに取り付けて固定する。その後、３段目のＨ枠１―３の横桟に３段目の布板１１―３を架け渡して、３段目の足場を形成する。
【００１１】
このようにして、Ｈ枠を組み立てることによって足場が形成されるが、足場が水平方向に倒れないように、足場全体を建物側に固定しておく必要がある。このために、建物の外壁とＨ枠の建物側の縦柱の間を固定する「壁つなぎ」と呼ばれる部材が用いられる。ここでは、壁つなぎ１４は、一端が２段目の足場を形成するＨ枠１−２の建物側の縦柱と横桟の交差部付近に、円筒状の縦柱の外周を把捉する形状を有する緊結金具１５を介して取り付けられ、そして、他端が建物の外壁に埋め込まれて取り付けられている。壁つなぎ１４は、足場のすべての段において用いる必要はないが、足場の数段毎に少なくとも１つは必要であり、Ｈ枠を構成する縦柱には壁つなぎを取り付けることができるようにする必要がある。
【００１２】
【特許文献１】実公平７−４８８７２公報
【発明の開示】
【発明が解決しようとする課題】
【００１３】
上述のとおり、Ｈ枠の縦柱上部のジョイント部材の上に別のＨ枠の縦柱下部を順次載置立設し、固定ピンで固定することによって、数段ないし十数段からなる足場を形成していくので、縦方向に大きな圧縮力が掛かることになる。
【００１４】
しかしながら、Ｈ枠は、左右２本の縦柱と２本の縦柱を中央部近傍で連結する横桟３とからＨ形の枠が形成されているだけであり、Ｈ枠の強度に問題がある。特に、縦柱と横桟の交差部から上方に離れた部分の縦柱の強度が小さいので、Ｈ枠からなる枠組足場を形成したときに壁つなぎが縦柱と横桟の交差部から少し離れた部分に取り付けられると、壁つなぎが取り付けられたＨ枠の縦柱が折れ曲がることがある。図９は、従来例に係るＨ枠を用いて形成した枠組足場において壁つなぎが縦柱と横桟の交差部から少し離れた部分に取り付けられた例であり、(a)が正面図、(b)が右側面図である。壁つなぎ１４が取り付けられた個所で、Ｈ枠の縦柱が折れ曲がっているので、足場全体が倒壊するおそれがある。
【００１５】
なお、Ｈ枠には、縦柱と横桟を結ぶ補剛材が設けられているが、この補剛材は、そのＨ枠形状を保持することによってＨ枠が座屈変形することを防止するためのものである。
【００１６】
さらに、Ｈ枠の圧縮強度を上げるためには、(i)Ｈ枠を構成する縦柱に板状の補強リブプレートを取り付けることと、(ii)縦柱と横桟を結ぶ補剛材をＨ型の枠の上部にも設けることが考えられる。
【００１７】
しかしながら、(i)Ｈ枠を構成する縦柱に板状の補強リブプレートを取り付けると、壁つなぎを縦柱に取り付けるときの邪魔になるという問題が生じる。そして、(ii)縦柱と横桟を結ぶ補剛材をＨ型の枠の上部にも設けても、Ｈ枠の強度がそれ程大きくなるわけではない上に、作業員の通路を狭くすることになるので、その通行の邪魔になるという問題が生じる。
【００１８】
本発明は、この問題を解決するためになされたものであって、壁つなぎを縦柱に容易に取り付け可能にするとともに優れた強度を有するＨ枠を提供すること、そして、このＨ枠の縦柱が壁つなぎによって隣接する構造物に固定されてなる、優れた強度を有する枠組足場を提供することを目的とする。
【課題を解決するための手段】
【００１９】
本発明者らは、Ｈ枠の縦柱の強度を上げることと、壁つなぎを縦柱に容易に取り付け可能にすることを種々に検討した結果、次の(a)〜(g)の知見を得た。
【００２０】
(a) 壁つなぎを縦柱に取り付ける際の緊結金具の形状は、従来の壁つなぎに採用されている、内側に湾曲部を有しかつその湾曲部に円筒状の縦柱を挿入後固定して縦柱が外れないようにできる形状が、使い勝手からしても好ましい。
【００２１】
(b) 円筒状の縦柱を確実に補強できて、しかも壁つなぎの取付の邪魔にならない補強材は、溶接等で縦柱と一体化することができる形状を有し、かつ一体化後の縦柱と補強材の全体の外面形状はほぼ円筒状となるのが好ましい。このためには、断面が円弧状の補強材を縦柱に沿わせて設置し、溶接等によって一体化すればよい。この場合、円弧状の補強材の厚みを極端に厚くしない限り、円弧状の補強材の厚みを含めても、全体の外面形状はほぼ円筒状となるので、従来の「壁つなぎ」をそのまま用いて、Ｈ枠の縦柱に取り付けることができる。なお、補強材は、Ｈ枠の縦柱の全長に沿わせて設置してもよいが、壁つなぎが取り付けられる場所、例えば、Ｈ枠の縦柱の上部に設置するのが好ましい。
【００２２】
(c) Ｈ枠の移動及び保管の際には、Ｈ枠が積み重ねられることになる。Ｈ枠が積み重ねられても、従来と同様に積み重ねることができることが好ましいが、そのためには縦柱の補強部材の弦の長さを縦柱の外径と同じかそれよりも短くすればよい。
【００２３】
(d) 断面が円弧状の補強材における円弧内面の半径を、縦柱の円筒外面の半径と同じかそれよりも短くするのが好ましく、このとき、補強材は縦柱の外面に張り付く形になるため、補強材を縦柱と一体化し易くなる。
【００２４】
(e) 断面が円弧状の補強材における円弧内面の半径が縦柱の円筒外面の半径よりも小さい場合には、補強材内面と縦柱外面の間に隙間が形成されるが、Ｈ枠表面の溶融めっきの際にその隙間もめっき被覆がなされるため、防錆性に優れている。
【００２５】
(f) 断面が円弧状の補強材は、Ｈ枠を構成する縦柱の内側と外側のいずれに沿わせてもよいが、外観等を考えると、内側に沿わせて設置するのが好ましい。
【００２６】
(g) Ｈ枠をさらに補強するために、断面が円弧状の補強材と横桟を結ぶ補強リブを設けることができる。補強リブの形状は断面がコの字形とするのが好ましい。また、この補強リブは、断面が円弧状の補強材と横桟のそれぞれに溶接等で接合することによって一体化させて設けることが好ましい。
【００２７】
本発明にかかる建枠及び枠組足場は、これらの知見に基づいて完成したものであり、その要旨は、次の(1)〜(8)に記載する通りである。
【００２８】
(1) 左右一対の円筒状の縦柱と、それらの中央部近傍を連結する横桟と、縦柱と横桟を結ぶ補剛材で構成される建枠であって、一方又は両方の縦柱に沿わせて断面が円弧状の補強材が縦柱と一体化されて設けられていることを特徴とする建枠。
【００２９】
(2) 断面が円弧状の補強材が横桟から上の縦柱部分に沿わせて縦柱と一体化されて設けられていることを特徴とする、上記(1)の建枠。  (3) 縦柱と横桟を結ぶ補剛材が横桟から下の部分に設けられていることを特徴とする、上記(1)又は(2)の建枠。
【００３０】
(4) 円弧状の補強材の弦の長さは、円筒状の縦柱の外側直径以下であることを特徴とする、上記(1)〜(3)のいずれかの建枠。
【００３１】
(5) 円弧状の補強材の内側曲げ半径は、円筒状の縦柱の外側半径以下であることを特徴とする、上記(1)〜(4)のいずれかの建枠。
【００３２】
(6) 断面が円弧状の補強材が、建枠を構成する縦柱の内側に設けられていることを特徴とする、上記(1)〜(5)のいずれかの建枠。
【００３３】
(7) 断面が円弧状の補強材と横桟を結ぶ補強リブが設けられていることを特徴とする、上記(1)〜(6)のいずれかの建枠。
【００３４】
(8) 上記(1)〜(7)のいずれかの建枠からなる枠組足場であって、断面が円弧状の補強材が縦柱に沿わせて縦柱と一体化されて設けられている部分において、建枠の縦柱を壁つなぎによって隣接する構造物に固定することができることを特徴とする枠組足場。
【発明の効果】
【００３５】
本発明によれば、壁つなぎを縦柱に容易に取り付け可能にするとともに優れた強度を有する、縦柱の中間部近傍に横桟を有するＨ型形状の建枠（以下、前述のとおり、単に「Ｈ枠」という。）を提供することができ、そして、このＨ枠の縦柱が壁つなぎによって隣接する構造物に固定されてなる、優れた強度を有する枠組足場を提供することができる。
【発明を実施するための最良の形態】
【００３６】
以下に、本発明に係るＨ枠及び枠組足場を図面を用いて説明する。
【実施例１】
【００３７】
図１は、本願発明に係るＨ枠の一例を示しており、(a)は正面図、(b)は(a)のＡ−Ａ線における断面拡大図（上面図）である。
【００３８】
Ｈ枠１は、左右２本の縦柱２と、２本の縦柱を中央部近傍で連結する横桟３とからＨ形の枠が形成されている。そして、Ｈ型の枠の下部には、縦柱と横桟を結ぶ補剛材４が設けられ、Ｈ型の枠が座屈変形することを防止することによって、Ｈ型形状が保持される。Ｈ枠の縦柱２の最上部には、その上に別のＨ枠を立設できるように、固定ピン（図示せず）を備えたジョイント部材５が設けられている。Ｈ枠の縦柱２の上部には、断面が円弧状の補強材８が縦柱の長さ方向に沿わせて設けられ、溶接Ｗによって一体化されている。そして、Ｈ枠の縦柱２には、筋違と手摺枠を固定するためのロック金具６、７が取り付けられている。ここでは、筋違と手摺枠を固定するためのロック金具は、Ｈ枠の下部に４個のロック金具６が、そして、Ｈ枠の上部に４個のロック金具７が、それぞれ、縦柱に取り付けられているが、Ｈ枠の上部に取り付けられた４個のロック金具７のうち、下側の２個は、縦柱に直接に取り付けられているのではなく、断面が円弧状の補強材８を介して縦柱に取り付けられている。ただし、必ずしも補強材８を介して縦柱に取り付ける必要はなく、縦柱に直接に取り付けてもよい。たとえば、縦柱に直接に取り付けられたロック金具７に対応する位置において、補強材８の穴を穿っておくことによって、ロック金具７を縦柱に直接に取り付けることができる。
【００３９】
なお、ここに例示した縦柱の外径は４２．７ｍｍ、補強材の全長は４８０ｍｍ、補強材の板厚は３．２ｍｍ、補強材の弦の長さは４１．２ｍｍ、補強材の内側曲げ半径は１９ｍｍ、縦柱と補強材の一体化後の断面の最大外径Ｌは４８．５ｍｍであった。
【００４０】
この場合、縦柱の補強部材の弦の長さが縦柱の外径よりも短いので、Ｈ枠は従来と同様に積み重ねることができるので、Ｈ枠の移動及び保管が容易となる。また、補強材の円弧内面の半径が縦柱の円筒外面の半径よりも短いので、補強材は縦柱の外面に張り付く形になり、補強材が縦柱と一体化した後の全体の外面形状はほぼ円筒状となるとともに、断面の最大外径は壁つなぎに取り付けられた緊結金具によって把捉される大きさであるので、壁つなぎを縦柱に容易に取り付けることができる。
【００４１】
図２は、図１に示すＨ枠を用いて枠組足場を形成した一例である。(a)が正面図、(b)が右側面図である。
【００４２】
Ｈ枠の縦柱に補強材８が縦柱と一体化して設けられている点を除いては、図８に示す枠組足場と同様にして、３段の足場が形成され、そして、壁つなぎ１４が２段目の足場を形成するＨ枠１−２の建物側の縦柱と横桟の交差部に、円筒状の縦柱の外周を把捉する形状を有する緊結金具１５を介して取り付けられている。
【００４３】
本発明例に係る枠組足場は、Ｈ枠の縦柱に補強材８が縦柱と一体化して設けられているので、優れた強度を有するとともに、縦柱と補強材の一体化後の全体の外面形状はほぼ円筒形であって、断面の最大外径は壁つなぎに取り付けられた緊結金具１５によって把捉される大きさであるので、壁つなぎを縦柱に容易に取り付けることができる。
【００４４】
図３は、図１に示すＨ枠を用いて枠組足場を形成した他の一例である。(a)が正面図、(b)が右側面図である。
【００４５】
壁つなぎ１４が２段目の足場を形成するＨ枠１−２の建物側の縦柱と横桟の交差部近傍でなく、その交差部から少し離れた部分に取り付けられている点を除いては、図２に示す枠組足場と同じである。
【００４６】
本発明例に係る枠組足場は、Ｈ枠の縦柱に補強材８が縦柱と一体化して設けられていて、壁つなぎを縦柱に容易に取り付けることができるとともに優れた強度を有しているので、壁つなぎが縦柱と横桟の交差部から少し離れた部分に取り付けられても、壁つなぎが取り付けられたＨ枠の縦柱が折れ曲がることはなく、足場全体が倒壊するおそれもない。このように本発明に寄れば、壁つなぎの設置位置の自由度が増すという利点がある。
【実施例２】
【００４７】
図４は、本願発明に係るＨ枠の他の一例を示しており、(a)は正面図、(b)は(a)のＡ−Ａ線における断面拡大図（上面図）である。
【００４８】
Ｈ枠１は、左右２本の縦柱２と、２本の縦柱を中央部近傍で連結する横桟３とからＨ形の枠が形成されている。そして、Ｈ型の枠の下部には、縦柱と横桟を結ぶ補剛材４が設けられ、Ｈ型の枠が座屈変形することを防止することによって、Ｈ型形状が保持される。Ｈ枠の縦柱２の最上部には、その上に別のＨ枠を立設できるように、固定ピン（図示せず）を備えたジョイント部材５が設けられている。Ｈ枠の縦柱２の上部には、断面が円弧状の補強材８が縦柱の長さ方向に沿わせて設けられ、溶接Ｗによって一体化されている。また、この補強材８の下部には、Ｈ枠をさらに補強するために、断面がコの字形の補強リブ９がこの補強材８と横桟３を結ぶ形で設けられている。この補強リブ９は、それぞれ、補強材８及び横桟３との間を溶接Ｗで接合することによって、この補強材８及び横桟３と一体化されている。そして、Ｈ枠の縦柱２には、筋違と手摺枠を固定するためのロック金具６、７が取り付けられている。ここでは、筋違と手摺枠を固定するためのロック金具は、Ｈ枠の下部に４個のロック金具６が、そして、Ｈ枠の上部に４個のロック金具７が、それぞれ、縦柱に取り付けられているが、Ｈ枠の上部に取り付けられた４個のロック金具７のうち、下側の２個は、縦柱に直接に取り付けられているのではなく、断面が円弧状の補強材８を介して縦柱に取り付けられている。ただし、必ずしも補強材８を介して縦柱に取り付ける必要はなく、縦柱に直接に取り付けてもよい。たとえば、縦柱に直接に取り付けられたロック金具７に対応する位置において、補強材８の穴を穿っておくことによって、ロック金具７を縦柱に直接に取り付けることができる。
【００４９】
なお、ここに例示した縦柱の外径は４２．７ｍｍ、補強材の全長は４８０ｍｍ、補強材の弦の長さは４１．２ｍｍ、補強材の内側曲げ半径は１９ｍｍ、縦柱と補強材の一体化後の断面の最大外径Ｌは４８．５ｍｍである。そして、コの字形の補強リブは、折り曲げられて平行に形成された２面のフランジと、両フランジを結ぶウェブからなり、全長６０ｍｍ、板厚３．２ｍｍ、フランジの幅がそれぞれ３０ｍｍ、両フランジ間の間隔（外法）が３５．４ｍｍである。
【００５０】
この場合も、縦柱の補強部材の弦の長さが縦柱の外径よりも短いので、Ｈ枠は従来と同様に積み重ねることができるので、Ｈ枠の移動及び保管が容易となる。また、補強材の円弧内面の半径が縦柱の円筒外面の半径よりも短いので、補強材は縦柱の外面に張り付く形になり、補強材が縦柱と一体化した後の全体の外面形状はほぼ円筒状となるとともに、断面の最大外径は壁つなぎに取り付けられた緊結金具によって把捉される大きさであるので、壁つなぎを縦柱に容易に取り付けることができる。
【００５１】
図５は、図４に示すＨ枠を用いて枠組足場を形成した一例である。(a)が正面図、(b)が右側面図である。
【００５２】
Ｈ枠の縦柱２に設けられた補強材８に加えて、断面がコの字形の補強リブ９が補強材８と横桟３を結ぶ形で一体化されている点を除いては、図２に示す枠組足場と同じである。
【００５３】
本発明例に係る枠組足場は、Ｈ枠の縦柱に補強材８が縦柱と一体化して設けられているだけでなく、断面がコの字形の補強リブ９が補強材８と横桟３を結ぶ形で一体化されているので、さらに優れた強度を有する。また、図２に示す枠組足場と同様に、縦柱と補強材の一体化後の全体の外面形状はほぼ円筒形であって、断面の最大外径は壁つなぎに取り付けられた緊結金具１５によって把捉される大きさであるので、壁つなぎを縦柱に容易に取り付けることができる。
【００５４】
図６は、図４に示すＨ枠を用いて枠組足場を形成した他の一例である。(a)が正面図、(b)が右側面図である。
【００５５】
壁つなぎ１４が２段目の足場を形成するＨ枠１−２の建物側の縦柱と横桟の交差部近傍でなく、その交差部から少し離れた部分に取り付けられている点を除いては、図５に示す枠組足場と同じである。
【００５６】
本発明に係る枠組足場は、Ｈ枠の縦柱に補強材８が縦柱と一体化して設けられているだけでなく、断面がコの字形の補強リブ９が補強材８と横桟３を結ぶ形で一体化されているので、さらに優れた強度を有する。そして、壁つなぎを縦柱に容易に取り付けることができるとともに、壁つなぎが縦柱と横桟の交差部から少し離れた部分に取り付けられても、壁つなぎが取り付けられたＨ枠の縦柱が折れ曲がることはなく、足場全体が倒壊するおそれもない。このように本発明によれば、壁つなぎの設置位置の自由度が増すという利点がある。
【産業上の利用可能性】
【００５７】
本発明によれば、壁つなぎを縦柱に容易に取り付け可能にするとともに優れた強度を有するＨ枠を提供することができ、そして、このＨ枠の縦柱が壁つなぎによって隣接する構造物に固定されてなる、優れた強度を有する枠組足場を提供することができる。
【図面の簡単な説明】
【００５８】
【図１】本願発明に係るＨ枠の一例を示しており、(a)は正面図、(b)は(a)のＡ−Ａ線における断面拡大図（上面図）である。
【図２】図１に示すＨ枠を用いて枠組足場を形成した一例である。(a)が正面図、(b)が右側面図である。
【図３】図１に示すＨ枠を用いて枠組足場を形成した他の一例である。(a)が正面図、(b)が右側面図である。
【図４】本願発明に係るＨ枠の他の一例を示しており、(a)は正面図、(b)は(a)のＡ−Ａ線における断面拡大図（上面図）である。
【図５】図４に示すＨ枠を用いて枠組足場を形成した一例である。(a)が正面図、(b)が右側面図である。
【図６】図４に示すＨ枠を用いて枠組足場を形成した他の一例である。(a)が正面図、(b)が右側面図である。
【図７】従来例に係るＨ枠の一例を示す正面図である。
【図８】従来例に係るＨ枠を用いて枠組足場を形成する一例であり、(a)が正面図、(b)が右側面図である。
【図９】従来例に係るＨ枠を用いて形成する他の例であり、(a)が正面図、(b)が右側面図である。
【符号の説明】
【００５９】
１    Ｈ枠
１−１  １段目のＨ枠
１−２  ２段目のＨ枠
１−３  ３段目のＨ枠
２    縦柱
２ａ  建物側の縦柱
２ｂ  建物とは反対側の縦柱
３    横桟
４    補剛材
５    ジョイント部材
６    縦柱の下部に設けられたロック金具
６ａ  建物側の縦柱の下部に設けられたロック金具
６ｂ  建物とは反対側の縦柱の下部に設けられたロック金具
７    縦柱の上部に設けられたロック金具
７ａ  建物側の縦柱の上部に設けられたロック金具
７ｂ  建物とは反対側の縦柱の上部に設けられたロック金具
８    補強材
９    補強リブ
１０  手摺枠
１１  布板
１１−１  １段目の布板
１１−２  ２段目の布板
１１−３  ３段目の布板
１３  筋違兼手摺枠
１４  壁つなぎ
１５  緊結金具
２１  地面
２２  建物
２３  敷板
２４  ジャッキベース
Ｌ    縦柱と補強材の一体化後の断面の最大外径
Ｗ    溶接
【図１】
0004652926.tif 000002
【図２】
0004652926.tif 000003
【図３】
0004652926.tif 000004
【図４】
0004652926.tif 000005
【図５】
0004652926.tif 000006
【図６】
0004652926.tif 000007
【図７】
0004652926.tif 000008
【図８】
0004652926.tif 000009
【図９】
0004652926.tif 000010